(57)【要約】  アンカー無線基地局３１０Ａは、非アンカー無線基地局３１０Ｂに対して、バックホール・ネットワークを介して送信すべきデコード前の上りリンク信号のビット精度を通知するインタフェース３１５Ａと、非アンカー無線基地局３１０Ｂから受信するデコード前の上りリンク信号及びＵＥ１０から受信するデコード前の上りリンク信号の選択合成を行う制御部３１６Ａとを備える。非アンカー無線基地局３１０Ｂは、アンカー無線基地局３１０Ａから通知されるビット精度に応じて、アンカー無線基地局３１０Ａに対して、デコード前の上りリンク信号を送信するインタフェース３１５Ｂを備える。
2013141146.tif 000002
【特許請求の範囲】
【請求項１】
無線端末から送信される上りリンク信号を複数の無線基地局で協調して受信する移動通信システムであって、
前記複数の無線基地局は、１つのアンカー無線基地局と、前記アンカー無線基地局以外の非アンカー無線基地局とを含み、
前記アンカー無線基地局は、
前記非アンカー無線基地局に対して、バックホール・ネットワークを介して送信すべきデコード前の上りリンク信号のビット精度を通知する通知部と、
前記非アンカー無線基地局から受信する前記デコード前の上りリンク信号及び前記無線端末から受信するデコード前の上りリンク信号の選択合成を行う制御部とを備え、
前記非アンカー無線基地局は、
前記アンカー無線基地局から通知される前記ビット精度に応じて、前記アンカー無線基地局に対して、前記デコード前の上りリンク信号を送信する送信部を備えることを特徴とする移動通信システム。
【請求項２】
前記ビット精度は、前記デコード前の上りリンク信号の精度を直接的に指定する値であることを特徴とする請求項１に記載の移動通信システム。
【請求項３】
前記ビット精度は、デコード前の上りリンク信号の受信品質、デコード後の上りリンク信号の受信品質、及び、上りリンク信号の変調符号化方式の少なくとも１つに基づいて設定されることを特徴とする請求項２に記載の移動通信システム。
【請求項４】
前記ビット精度は、前記デコード前の上りリンク信号の精度を相対的に指定する値であることを特徴とする請求項１に記載の移動通信システム。
【請求項５】
無線端末から送信される上りリンク信号を複数の無線基地局で協調して受信する移動通信システムであって、
前記複数の無線基地局は、１つのアンカー無線基地局と、前記アンカー無線基地局以外の非アンカー無線基地局とを含み、
前記アンカー無線基地局は、
前記非アンカー無線基地局が受信する上りリンク信号の受信品質が所定品質を満たす非アンカー無線基地局に対して、バックホール・ネットワークを介してデコード前の上りリンク信号を送信すべき旨を通知する通知部と、
前記非アンカー無線基地局から受信する前記デコード前の上りリンク信号及び前記無線端末から受信するデコード前の上りリンク信号の選択合成を行う制御部とを備え、
前記非アンカー無線基地局は、
前記デコード前の上りリンク信号を送信すべき旨が前記アンカー無線基地局から通知された場合に、前記アンカー無線基地局に対して、前記デコード前の上りリンク信号を送信する送信部を備えることを特徴とする移動通信システム。
【請求項６】
無線端末から送信される上りリンク信号を複数の無線基地局で協調して受信する移動通信システムであって、
前記複数の無線基地局は、１つのアンカー無線基地局と、前記アンカー無線基地局以外の非アンカー無線基地局とを含み、
前記非アンカー無線基地局は、
前記非アンカー無線基地局が受信する上りリンク信号の受信品質が所定品質を満たす場合に、前記アンカー無線基地局に対して、バックホール・ネットワークを介してデコード前の上りリンク信号を送信する送信部を備え、
前記アンカー無線基地局は、
前記非アンカー無線基地局から受信する前記デコード前の上りリンク信号及び前記無線端末から受信するデコード前の上りリンク信号の選択合成を行う制御部とを備えることを特徴とする移動通信システム。
【請求項７】
無線端末から送信される上りリンク信号を複数の無線基地局で協調して受信する移動通信方法であって、
前記複数の無線基地局は、１つのアンカー無線基地局と、前記アンカー無線基地局以外の非アンカー無線基地局とを含み、
前記アンカー無線基地局から前記非アンカー無線基地局に対して、バックホール・ネットワークを介して送信すべきデコード前の上りリンク信号のビット精度を通知するステップと、
前記非アンカー無線基地局から前記アンカー無線基地局に対して、前記アンカー無線基地局から通知される前記ビット精度に応じて、前記デコード前の上りリンク信号を送信するステップと、
前記アンカー無線基地局において、前記非アンカー無線基地局から受信する前記デコード前の上りリンク信号及び前記無線端末から受信するデコード前の上りリンク信号の選択合成を行うステップとを備える移動通信方法。
【請求項８】
無線端末から送信される上りリンク信号を複数の無線基地局で協調して受信する移動通信方法であって、
前記複数の無線基地局は、１つのアンカー無線基地局と、前記アンカー無線基地局以外の非アンカー無線基地局とを含み、
前記アンカー無線基地局から、前記非アンカー無線基地局が受信する上りリンク信号の受信品質が所定品質を満たす非アンカー無線基地局に対して、バックホール・ネットワークを介してデコード前の上りリンク信号を送信すべき旨を通知するステップと、
前記デコード前の上りリンク信号を送信すべき旨が前記アンカー無線基地局から通知された場合に、前記非アンカー無線基地局から前記アンカー無線基地局に対して、前記デコード前の上りリンク信号を送信するステップと、
前記アンカー無線基地局において、前記非アンカー無線基地局から受信する前記デコード前の上りリンク信号及び前記無線端末から受信するデコード前の上りリンク信号の選択合成を行うステップとを備える移動通信方法。
【請求項９】
無線端末から送信される上りリンク信号を複数の無線基地局で協調して受信する移動通信方法であって、
前記複数の無線基地局は、１つのアンカー無線基地局と、前記アンカー無線基地局以外の非アンカー無線基地局とを含み、
前記非アンカー無線基地局が受信する上りリンク信号の受信品質が所定品質を満たす場合に、前記非アンカー無線基地局から前記アンカー無線基地局に対して、前記デコード前の上りリンク信号を送信するステップと、
前記アンカー無線基地局において、前記非アンカー無線基地局から受信する前記デコード前の上りリンク信号及び前記無線端末から受信するデコード前の上りリンク信号の選択合成を行うステップとを備える移動通信方法。
【発明の詳細な説明】
【技術分野】
【０００１】
本発明は、無線端末から送信される上りリンク信号を複数の無線基地局で協調して受信する移動通信システム、移動通信システムで用いる移動通信方法に関する。
【背景技術】
【０００２】
従来、無線端末から送信される上りリンク信号を複数の無線基地局で協調して受信する移動通信システムが知られている。このような移動通信システムでは、複数の無線基地局で受信する上りリンク信号の選択合成が行われる。【０００３】
例えば、ＬＴＥ（Ｌｏｎｇ  Ｔｅｒｍ  Ｅｖｏｌｕｔｉｏｎ）では、上りリンク信号は、ＰＵＳＣＨ（Ｐｈｙｓｉｃａｌ  Ｕｐｌｉｎｋ  Ｓｈａｒｅｄ  Ｃｈａｎｎｅｌ）を介して送信される。【０００４】
ここで、複数の無線基地局は、１つのアンカー無線基地局と、残りの非アンカー無線基地局とを含む。非アンカー無線基地局は、バックホール・ネットワークを介して、デコード前の上りリンク信号をアンカー無線基地局に送信する。アンカー無線基地局は、無線端末から送信されるデコード前の上りリンク信号及び非アンカー無線基地局から受信するデコード前の上りリンク信号の選択合成を行う。【０００５】
しかしながら、このようなケースでは、非アンカー無線基地局からアンカー無線基地局に対して、バックホール・ネットワークを介して、デコード前の上りリンク信号が送信されるため、バックホール・ネットワークの負荷が増大してしまう。
【先行技術文献】
【非特許文献】
【０００６】
【非特許文献１】３ＧＰＰ  ＴＲ３６．８１９  Ｖ１１．１．０  （２０１１−１２−２２）
【発明の概要】
【０００７】
第１の特徴に係る移動通信システムは、無線端末から送信される上りリンク信号を複数の無線基地局で協調して受信するシステムである。前記複数の無線基地局は、１つのアンカー無線基地局と、前記アンカー無線基地局以外の非アンカー無線基地局とを含む。前記アンカー無線基地局は、前記非アンカー無線基地局に対して、バックホール・ネットワークを介して送信すべきデコード前の上りリンク信号のビット精度を通知する通知部と、前記非アンカー無線基地局から受信する前記デコード前の上りリンク信号及び前記無線端末から受信するデコード前の上りリンク信号の選択合成を行う制御部とを備える。前記非アンカー無線基地局は、前記アンカー無線基地局から通知される前記ビット精度に応じて、前記アンカー無線基地局に対して、前記デコード前の上りリンク信号を送信する送信部を備える。
【０００８】
第１の特徴において、前記ビット精度は、前記デコード前の上りリンク信号の精度を直接的に指定する値である。
【０００９】
第１の特徴において、前記ビット精度は、デコード前の上りリンク信号の受信品質、デコード後の上りリンク信号の受信品質、及び、上りリンク信号の変調符号化方式の少なくとも１つに基づいて設定される。
【００１０】
第１の特徴において、前記ビット精度は、前記デコード前の上りリンク信号の精度を相対的に指定する値である。
【００１１】
第２の特徴に係る移動通信システムは、無線端末から送信される上りリンク信号を複数の無線基地局で協調して受信するシステムである。前記複数の無線基地局は、１つのアンカー無線基地局と、前記アンカー無線基地局以外の非アンカー無線基地局とを含む。前記アンカー無線基地局は、前記非アンカー無線基地局が受信する上りリンク信号の受信品質が所定品質を満たす非アンカー無線基地局に対して、バックホール・ネットワークを介してデコード前の上りリンク信号を送信すべき旨を通知する通知部と、前記非アンカー無線基地局から受信する前記デコード前の上りリンク信号及び前記無線端末から受信するデコード前の上りリンク信号の選択合成を行う制御部とを備える。前記非アンカー無線基地局は、前記デコード前の上りリンク信号を送信すべき旨が前記アンカー無線基地局から通知された場合に、前記アンカー無線基地局に対して、前記デコード前の上りリンク信号を送信する送信部を備える。
【００１２】
第３の特徴に係る移動通信システムは、無線端末から送信される上りリンク信号を複数の無線基地局で協調して受信するシステムである。前記複数の無線基地局は、１つのアンカー無線基地局と、前記アンカー無線基地局以外の非アンカー無線基地局とを含む。前記非アンカー無線基地局は、前記非アンカー無線基地局が受信する上りリンク信号の受信品質が所定品質を満たす場合に、前記アンカー無線基地局に対して、バックホール・ネットワークを介してデコード前の上りリンク信号を送信する送信部を備える。前記アンカー無線基地局は、前記非アンカー無線基地局から受信する前記デコード前の上りリンク信号及び前記無線端末から受信するデコード前の上りリンク信号の選択合成を行う制御部とを備える。
【００１３】
第４の特徴に係る移動通信方法は、無線端末から送信される上りリンク信号を複数の無線基地局で協調して受信する方法である。前記複数の無線基地局は、１つのアンカー無線基地局と、前記アンカー無線基地局以外の非アンカー無線基地局とを含む。移動通信方法は、前記アンカー無線基地局から前記非アンカー無線基地局に対して、バックホール・ネットワークを介して送信すべきデコード前の上りリンク信号のビット精度を通知するステップと、前記非アンカー無線基地局から前記アンカー無線基地局に対して、前記アンカー無線基地局から通知される前記ビット精度に応じて、前記デコード前の上りリンク信号を送信するステップと、前記アンカー無線基地局において、前記非アンカー無線基地局から受信する前記デコード前の上りリンク信号及び前記無線端末から受信するデコード前の上りリンク信号の選択合成を行うステップとを備える。
【００１４】
第５の特徴に係る移動通信方法は、無線端末から送信される上りリンク信号を複数の無線基地局で協調して受信する方法である。前記複数の無線基地局は、１つのアンカー無線基地局と、前記アンカー無線基地局以外の非アンカー無線基地局とを含む。移動通信方法は、前記アンカー無線基地局から、前記非アンカー無線基地局が受信する上りリンク信号の受信品質が所定品質を満たす非アンカー無線基地局に対して、バックホール・ネットワークを介してデコード前の上りリンク信号を送信すべき旨を通知するステップと、前記デコード前の上りリンク信号を送信すべき旨が前記アンカー無線基地局から通知された場合に、前記非アンカー無線基地局から前記アンカー無線基地局に対して、前記デコード前の上りリンク信号を送信するステップと、前記アンカー無線基地局において、前記非アンカー無線基地局から受信する前記デコード前の上りリンク信号及び前記無線端末から受信するデコード前の上りリンク信号の選択合成を行うステップとを備える。
【００１５】
第６の特徴に係る移動通信方法は、無線端末から送信される上りリンク信号を複数の無線基地局で協調して受信する方法である。前記複数の無線基地局は、１つのアンカー無線基地局と、前記アンカー無線基地局以外の非アンカー無線基地局とを含む。移動通信方法は、前記非アンカー無線基地局が受信する上りリンク信号の受信品質が所定品質を満たす場合に、前記非アンカー無線基地局から前記アンカー無線基地局に対して、前記デコード前の上りリンク信号を送信するステップと、前記アンカー無線基地局において、前記非アンカー無線基地局から受信する前記デコード前の上りリンク信号及び前記無線端末から受信するデコード前の上りリンク信号の選択合成を行うステップとを備える。
【図面の簡単な説明】
【００１６】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係るアンカー無線基地局３１０Ａを示すブロック図である。
【図６】図６は、第１実施形態に係る非アンカー無線基地局３１０Ｂを示すブロック図である。
【図７】図７は、第１実施形態に係るビット精度を説明するための図である。
【図８】図８は、第１実施形態に係るビット精度を説明するための図である。
【図９】図９は、第１実施形態に係るビット精度を説明するための図である。
【図１０】図１０は、第１実施形態に係るビット精度を説明するための図である。
【図１１】図１１は、第１実施形態に係る移動通信システム１００の動作を示すシーケンス図である。
【図１２】図１２は、変更例１に係る移動通信システム１００の動作を示すシーケンス図である。
【図１３】図１３は、変更例２に係る移動通信システム１００の動作を示すシーケンス図である。
【発明を実施する為の形態】
【００１７】
以下において、本発明の実施形態に係る移動通信システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
第１に、実施形態に係る移動通信システムは、無線端末から送信される上りリンク信号を複数の無線基地局で協調して受信するシステムである。前記複数の無線基地局は、１つのアンカー無線基地局と、前記アンカー無線基地局以外の非アンカー無線基地局とを含む。前記アンカー無線基地局は、前記非アンカー無線基地局に対して、バックホール・ネットワークを介して送信すべきデコード前の上りリンク信号のビット精度を通知する通知部と、前記非アンカー無線基地局から受信する前記デコード前の上りリンク信号及び前記無線端末から受信するデコード前の上りリンク信号の選択合成を行う制御部とを備える。前記非アンカー無線基地局は、前記アンカー無線基地局から通知される前記ビット精度に応じて、前記アンカー無線基地局に対して、前記デコード前の上りリンク信号を送信する送信部を備える。
【００２０】
実施形態では、非アンカー無線基地局は、アンカー無線基地局から通知されるビット精度に応じて、アンカー無線基地局に対して、デコード前の上りリンク信号を送信する。言い換えると、デコード前の上りリンク信号が適切なビット精度で送信される。従って、バックホール・ネットワークの負荷増大が抑制される。
【００２１】
第２に、実施形態に係る移動通信システムは、無線端末から送信される上りリンク信号を複数の無線基地局で協調して受信するシステムである。前記複数の無線基地局は、１つのアンカー無線基地局と、前記アンカー無線基地局以外の非アンカー無線基地局とを含む。前記アンカー無線基地局は、前記非アンカー無線基地局が受信する上りリンク信号の受信品質が所定品質を満たす非アンカー無線基地局に対して、バックホール・ネットワークを介してデコード前の上りリンク信号を送信すべき旨を通知する通知部と、前記非アンカー無線基地局から受信する前記デコード前の上りリンク信号及び前記無線端末から受信するデコード前の上りリンク信号の選択合成を行う制御部とを備える。前記非アンカー無線基地局は、前記デコード前の上りリンク信号を送信すべき旨が前記アンカー無線基地局から通知された場合に、前記アンカー無線基地局に対して、前記デコード前の上りリンク信号を送信する送信部を備える。
【００２２】
実施形態では、アンカー無線基地局は、非アンカー無線基地局が受信する上りリンク信号の受信品質が所定品質を満たす非アンカー無線基地局に対して、バックホール・ネットワークを介してデコード前の上りリンク信号を送信すべき旨を通知する。従って、非アンカー無線基地局からアンカー無線基地局に対する不要なデコード前の上りリンク信号の送信が抑制され、バックホール・ネットワークの負荷増大が抑制される。
【００２３】
第３に、実施形態に係る移動通信システムは、無線端末から送信される上りリンク信号を複数の無線基地局で協調して受信するシステムである。前記複数の無線基地局は、１つのアンカー無線基地局と、前記アンカー無線基地局以外の非アンカー無線基地局とを含む。前記非アンカー無線基地局は、前記非アンカー無線基地局が受信する上りリンク信号の受信品質が所定品質を満たす場合に、前記アンカー無線基地局に対して、バックホール・ネットワークを介してデコード前の上りリンク信号を送信する送信部を備える。前記アンカー無線基地局は、前記非アンカー無線基地局から受信する前記デコード前の上りリンク信号及び前記無線端末から受信するデコード前の上りリンク信号の選択合成を行う制御部とを備える。
【００２４】
実施形態では、非アンカー無線基地局は、非アンカー無線基地局が受信する上りリンク信号の受信品質が所定品質を満たす場合に、アンカー無線基地局に対して、バックホール・ネットワークを介してデコード前の上りリンク信号を送信する。従って、非アンカー無線基地局からアンカー無線基地局に対する不要なデコード前の上りリンク信号の送信が抑制され、バックホール・ネットワークの負荷増大が抑制される。
【００２５】
［第１実施形態］
（移動通信システム）
以下において、第１実施形態に係る移動通信システムについて説明する。図１は、第１実施形態に係る移動通信システム１００を示す図である。
【００２６】
図１に示すように、移動通信システム１００は、無線端末１０（以下、ＵＥ１０）と、コアネットワーク５０とを含む。また、移動通信システム１００は、第１通信システムと第２通信システムとを含む。
【００２７】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００２８】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００２９】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００３０】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００３１】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００３２】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００３３】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００３４】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００３５】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００３６】
ＭＮＢ２１０Ａは、一般セル２１１Ａを管理しており、一般セル２１１Ａに存在するＵＥ１０と無線通信を行う装置（ＮｏｄｅＢ）である。
【００３７】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００３８】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３９】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００４０】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４１】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００４２】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００４３】
なお、以下においては、第１通信システムについて主として説明する。但し、以下の記載が第２通信システムに適用されてもよい。
【００４４】
ここで、第１通信システムでは、下りリンクの多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上りリンクの多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００４５】
また、第１通信システムでは、上りリンクのチャネルとして、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上りリンク共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下りリンクのチャネルとして、下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下りリンク共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００４６】
上りリンク制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００４７】
ＣＱＩは、下りリンクの伝送に使用すべき推奨変調方式と符号化速度を通知する信号である。ＰＭＩは、下りリンクの伝送の為に使用することが望ましいプリコーダマトリックスを示す信号である。ＲＩは、下りリンクの伝送に使用すべきレイヤ数（ストリーム数）を示す信号である。ＳＲは、上りリンク無線リソース（後述するリソースブロック）の割当てを要求する信号である。ＡＣＫ／ＮＡＣＫは、下りリンクのチャネル（例えば、ＰＤＳＣＨ）を介して送信される信号を受信できたか否かを示す信号である。
【００４８】
上りリンク共有チャネルは、制御信号（上述した制御信号を含む）又は／及びデータ信号を搬送するチャネルである。例えば、上りリンク無線リソースは、データ信号にのみ割当てられてもよく、データ信号及び制御信号が多重されるように割当てられてもよい。
【００４９】
下りリンク制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００５０】
Ｕｐｌｉｎｋ  ＳＩは、上りリンク無線リソースの割当てを示す信号である。Ｄｏｗｎｌｉｎｋ  ＳＩは、下りリンク無線リソースの割当てを示す信号である。ＴＰＣビットは、上りリンクのチャネルを介して送信される信号の電力の増減を指示する信号である。
【００５１】
下りリンク共有チャネルは、制御信号又は／及びデータ信号を搬送するチャネルである。例えば、下りリンク無線リソースは、データ信号にのみ割当てられてもよく、データ信号及び制御信号が多重されるように割当てられてもよい。
【００５２】
なお、下りリンク共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上りリンク信号に基づいてＭｅＮＢ１１０Ａによって測定される。
【００５３】
また、下りリンク制御チャネル（ＰＤＣＣＨ）、下りリンク共有チャネル（ＰＤＳＣＨ）以外のチャネルを介して送信される制御信号としては、ＡＣＫ／ＮＡＣＫが挙げられる。ＡＣＫ／ＮＡＣＫは、上りリンクのチャネル（例えば、ＰＵＳＣＨ）を介して送信される信号を受信できたか否かを示す信号である。
【００５４】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００５５】
（無線フレーム）
以下において、第１通信システムにおける無線フレームについて説明する。図２は、第１通信システムにおける無線フレームを示す図である。
【００５６】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００５７】
なお、１つのスロットは、下りリンクにおいて、複数のＯＦＤＭシンボル（例えば、６つのＯＦＤＭシンボル或いは７つのＯＦＤＭシンボル）によって構成される。同様に、１つのスロットは、上りリンクにおいて、複数のＳＣ−ＦＤＭＡシンボル（例えば、６つのＳＣ−ＦＤＭＡシンボル或いは７つのＳＣ−ＦＤＭＡシンボル）によって構成される。
【００５８】
（無線リソース）
以下において、第１通信システムにおける無線リソースについて説明する。図３は、第１通信システムにおける無線リソースを示す図である。
【００５９】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００６０】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００６１】
また、無線リソースは、ＭｅＮＢ１１０Ａによって割当てられる。無線リソースは、ＣＱＩ、ＰＭＩ、ＲＩなどに基づいて、各ＵＥ１０に割当てられる。
【００６２】
（適用シーン）
以下において、第１実施形態に係る適用シーンについて説明する。図４は、第１実施形態に係る適用シーンを説明するための図である。図４では、１つのアンカー無線基地局３１０Ａ及び複数の非アンカー無線基地局３１０Ｂが無線基地局として設けられるケースについて例示する。アンカー無線基地局３１０Ａ及び非アンカー無線基地局３１０Ｂは、ＵＥ１０から送信される上りリンク信号を協調して受信する無線基地局群（ＣｏＭＰセット）を構成する。
【００６３】
図４に示すように、ＵＥ１０は、アンカー無線基地局３１０Ａ及び非アンカー無線基地局３１０Ｂに対して、上りリンク信号を送信する。ＵＥ１０から送信される上りリンク信号は、符号化されていることに留意すべきである。例えば、ＵＥ１０から送信される上りリンク信号は、例えば、上述した上りリンク共有チャネル（ＰＵＳＣＨ）を介して送信される。
【００６４】
ここで、非アンカー無線基地局３１０Ｂは、バックホール・ネットワークを介して、デコード前の上りリンク信号をアンカー無線基地局３１０Ａに送信する。アンカー無線基地局３１０Ａは、ＵＥ１０から送信されるデコード前の上りリンク信号及び非アンカー無線基地局３１０Ｂから受信するデコード前の上りリンク信号の選択合成を行う。
【００６５】
バックホール・ネットワークは、無線基地局同士を直接的に接続するＸ２インタフェースであってもよく、無線基地局同士を上位ノード（例えば、ＭＭＥ１３０）経由で接続するＳ１インタフェースであってもよい。
【００６６】
アンカー無線基地局３１０Ａ及び非アンカー無線基地局３１０Ｂは、無線基地局であればよい。すなわち、第１実施形態において、アンカー無線基地局３１０Ａ及び非アンカー無線基地局３１０Ｂは、ＭｅＮＢ１１０Ａ、ＨｅＮＢ１１０Ｂ、ＭＮＢ２１０Ａ及びＨＮＢ２１０Ｂのいずれかである。
【００６７】
このようなケースにおいて、第１実施形態では、アンカー無線基地局３１０Ａは、非アンカー無線基地局３１０Ｂに対して、バックホール・ネットワークを介して送信すべきデコード前の上りリンク信号のビット精度を通知する。非アンカー無線基地局３１０Ｂは、アンカー無線基地局３１０Ａから通知されるビット精度に応じて、アンカー無線基地局３１０Ａに対して、デコード前の上りリンク信号を送信する。
【００６８】
ここで、ビット精度は、デコード前の上りリンク信号をサンプリングする粒度（以下、サンプリング粒度）を示すものである。言い換えると、ビット精度は、デコード前の上りリンク信号を構成するＩ／Ｑ成分を表すビット数（分解能）である。ビット精度は、サンプリング粒度を示すインデックスで表されてもよい。
【００６９】
ビット精度は、例えば、デコード前の上りリンク信号の精度を直接的に指定する値である。すなわち、ビット精度は、サンプリング粒度を示す絶対値である。
【００７０】
このようなケースにおいて、ビット精度は、デコード前の上りリンク信号の受信品質、デコード後の上りリンク信号の受信品質、及び、上りリンク信号の変調符号化方式の少なくとも１つに基づいて決定される。
【００７１】
デコード前の上りリンク信号の受信品質は、デコード前の無線品質であり、例えば、ＳＮＲ（Ｓｉｇｎａｌ  ｔｏ  Ｎｏｉｓｅ  Ｒａｔｉｏ）、ＳＩＮＲ（Ｓｉｇｎａｌ  ｔｏ  Ｉｎｔｅｒｆｅｒｅｎｃｅ  Ｎｏｉｓｅ  Ｒａｔｉｏ）などである。デコード後の上りリンク信号の受信品質は、デコード後の品質であり、例えば、ＢＬＥＲ（Ｂｌｏｃｋ  Ｅｒｒｏｒ  Rate）などである。上りリンク信号の変調符号化方式は、データの伝送速度及び誤り率に影響する値であり、ＭＣＳ（Ｍｏｄｕｌａｔｉｏｎ  ａｎｄ  Ｃｏｄｉｎｇ  Ｓｃｈｅｍｅ）と称される。
【００７２】
或いは、ビット精度は、例えば、デコード前の上りリンク信号の精度を相対的に指定する値である。すなわち、ビット精度は、サンプリング粒度を示す相対値である。
【００７３】
このようなケースにおいて、ビット精度は、サンプリング粒度の増大を示す値（以下、ＵＰ）、サンプリング粒度の維持を示す値（以下、ＫＥＥＰ）、サンプリング粒度の減少を示す値（以下、ＤＯＷＮ）である。ビット精度としては、例えば、前回の上りリンク信号のデコードに失敗した場合に、ＵＰが選択され、前回の上りリンク信号のデコードに成功した場合に、ＫＥＥＰ又はＤＯＷＮが選択される。
【００７４】
（アンカー無線基地局）
以下において、第１実施形態に係るアンカー無線基地局について説明する。図５は、第１実施形態に係るアンカー無線基地局３１０Ａを示すブロック図である。
【００７５】
図５に示すように、アンカー無線基地局３１０Ａは、受信部３１３Ａと、送信部３１４Ａと、インタフェース３１５Ａと、制御部３１６Ａとを有する。
【００７６】
受信部３１３Ａは、アンカー無線基地局３１０Ａによって管理されるセルと接続されたＵＥ１０から上りリンク信号を受信する。受信部３１３Ａは、例えば、上りリンク共有チャネル（ＰＵＳＣＨ）を介して上りリンク信号を受信する。
【００７７】
送信部３１４Ａは、アンカー無線基地局３１０Ａによって管理されるセルと接続されたＵＥ１０に下りリンク信号を送信する。送信部３１４Ａは、例えば、アンカー無線基地局３１０Ａによって割当てられた無線リソース（スケジューリング情報）を送信する。
【００７８】
インタフェース３１５Ａは、バックホール・ネットワーク経由で他の無線基地局と通信を行うインタフェースである。インタフェース３１５Ａは、無線基地局同士を直接的に接続するＸ２インタフェースである。或いは、インタフェース３１５Ａは、無線基地局同士を上位ノード（例えば、ＭＭＥ１３０）経由で接続するＳ１インタフェースである。
【００７９】
第１実施形態において、インタフェース３１５Ａは、非アンカー無線基地局３１０Ｂに対して、バックホール・ネットワークを介して送信すべきデコード前の上りリンク信号のビット精度を通知する通知部を構成する。
【００８０】
制御部３１６Ａは、アンカー無線基地局３１０Ａの動作を制御する。制御部３１６Ａは、例えば、ＵＥ１０から送信されるデコード前の上りリンク信号及び非アンカー無線基地局３１０Ｂから受信するデコード前の上りリンク信号の選択合成を行う。具体的には、制御部３１６Ａは、ＵＥ１０から送信されるデコード前の上りリンク信号及び非アンカー無線基地局３１０Ｂから受信するデコード前の上りリンク信号のうち、最も受信品質がよいデコード前の上りリンク信号を選択して、選択されたデコード前の上りリンク信号をデコードしてもよい。或いは、制御部３１６Ａは、ＵＥ１０から送信されるデコード前の上りリンク信号及び非アンカー無線基地局３１０Ｂから受信するデコード前の上りリンク信号のうち、所定品質以上の品質を有するデコード前の上りリンク信号を合成して、合成されたデコード前の上りリンク信号をデコードしてもよい。なお、制御部３１６Ａは、ＵＥ１０から送信されるデコード前の上りリンク信号及び非アンカー無線基地局３１０Ｂから受信するデコード前の上りリンク信号の全てを合成して、合成されたデコード前の上りリンク信号をデコードしてもよい。
【００８１】
（非アンカー無線基地局）
以下において、第１実施形態に係る非アンカー無線基地局について説明する。図６は、第１実施形態に係る非アンカー無線基地局３１０Ｂを示すブロック図である。
【００８２】
図６に示すように、非アンカー無線基地局３１０Ｂは、受信部３１３Ｂと、送信部３１４Ｂと、インタフェース３１５Ｂと、制御部３１６Ｂとを有する。
【００８３】
受信部３１３Ｂは、非アンカー無線基地局３１０Ｂによって管理されるセルと接続されたＵＥ１０から上りリンク信号を受信する。受信部３１３Ｂは、例えば、上りリンク共有チャネル（ＰＵＳＣＨ）を介して上りリンク信号を受信する。
【００８４】
送信部３１４Ｂは、非アンカー無線基地局３１０Ｂによって管理されるセルと接続されたＵＥ１０に下りリンク信号を送信する。送信部３１４Ｂは、例えば、非アンカー無線基地局３１０Ｂによって割当てられた無線リソース（スケジューリング情報）を送信する。
【００８５】
インタフェース３１５Ｂは、バックホール・ネットワーク経由で他の無線基地局と通信を行うインタフェースである。インタフェース３１５Ｂは、無線基地局同士を直接的に接続するＸ２インタフェースである。或いは、インタフェース３１５Ｂは、無線基地局同士を上位ノード（例えば、ＭＭＥ１３０）経由で接続するＳ１インタフェースである。
【００８６】
第１実施形態において、インタフェース３１５Ｂは、アンカー無線基地局３１０Ａから通知されるビット精度に応じて、アンカー無線基地局３１０Ａに対して、バックホール・ネットワークを介して、デコード前の上りリンク信号を送信する送信部を構成する。
【００８７】
制御部３１６Ｂは、非アンカー無線基地局３１０Ｂの動作を制御する。例えば、制御部３１６Ｂは、デコード前の上りリンク信号の送信をインタフェース３１５Ｂに指示する。
【００８８】
（ビット精度）
以下において、第１実施形態に係るビット精度について説明する。図７〜図１０は、第１実施形態に係るビット精度を説明するための図である。ビット精度は、サンプリング粒度を示す値である。ここでは、ビット精度は、インデックスの形式で表されている。ここでは、ビット精度の値が大きい程、サンプリング粒度が細かいことに留意すべきである。
【００８９】
例えば、図７に示すように、ビット精度は、絶対値であり、ＳＮＲに基づいて決定される。例えば、ＳＮＲが“２０”以上である場合には、ビット精度として“４”が選択される。ＳＮＲが“１０”以上“２０”未満である場合には、ビット精度として“８”が選択される。ＳＮＲが“０”以上“１０”未満である場合には、ビット精度として“１６”が選択される。このように、ＳＮＲが悪いほど、サンプリング粒度が細かいビット精度が選択される。
【００９０】
或いは、図８に示すように、ビット精度は、絶対値であり、ＭＣＳに基づいて決定される。例えば、ＭＣＳがＱＰＳＫである場合には、ビット精度として“４”が選択される。ＭＣＳが１６ＱＡＭである場合には、ビット精度として“８”が選択される。ＭＣＳが６４ＱＡＭである場合には、ビット精度として“１６”が選択される。このように、伝送速度が高いほど、サンプリング粒度が細かいビット精度が選択される。
【００９１】
或いは、図９に示すように、ビット精度は、絶対値であり、ＢＬＥＲに基づいて決定される。例えば、ＢＬＥＲが“０．００１”以上“０．０１”未満である場合には、ビット精度として“４”が選択される。ＢＬＥＲが“０．０１”以上“０．１”未満である場合には、ビット精度として“８”が選択される。ＢＬＥＲが“０．１”以上である場合には、ビット精度として“１６”が選択される。このように、ＢＬＥＲが悪いほど、サンプリング粒度が細かいビット精度が選択される。
【００９２】
或いは、図１０に示すように、ビット精度は、相対値であり、前回のデコード結果に基づいて決定される。例えば、前回のデコード結果がＮＧである場合に、すなわち、前回の上りリンク信号のデコードに失敗した場合に、ビット精度としてＵＰが選択される。一方で、前回のデコード結果がＯＫである場合に、すなわち、前回の上りリンク信号のデコードに成功した場合に、ビット精度としてＫＥＥＰ又はＤＯＷＮが選択される。
【００９３】
（移動通信システムの動作）
以下において、第１実施形態に係る移動通信システムの動作について説明する。図１１は、第１実施形態に係る移動通信システム１００の動作を示すシーケンス図である。
【００９４】
図１１に示すように、ステップ１０において、ＵＥ１０は、アンカー無線基地局３１０Ａ及び非アンカー無線基地局３１０Ｂに対して、上りリンク信号を送信する。
【００９５】
ステップ１１において、アンカー無線基地局３１０Ａは、バックホール・ネットワークを介して送信すべきデコード前の上りリンク信号のビット精度を決定する。
【００９６】
ステップ１２において、アンカー無線基地局３１０Ａは、非アンカー無線基地局３１０Ｂに対して、バックホール・ネットワークを介して送信すべきデコード前の上りリンク信号のビット精度を通知する。
【００９７】
ステップ１３において、非アンカー無線基地局３１０Ｂは、アンカー無線基地局３１０Ａから通知されるビット精度に応じて、アンカー無線基地局３１０Ａに対して、デコード前の上りリンク信号を送信する。
【００９８】
ステップ１４において、アンカー無線基地局３１０Ａは、ＵＥ１０から送信されるデコード前の上りリンク信号及び非アンカー無線基地局３１０Ｂから受信するデコード前の上りリンク信号の選択合成を行う。
【００９９】
ステップ１５において、アンカー無線基地局３１０Ａは、上りリンク信号のデコード結果をＭＭＥ１３０に送信する。
【０１００】
ここでは、アンカー無線基地局３１０ＡがＭｅＮＢ１１０Ａ又はＨｅＮＢ１１０Ｂであるケースについて例示しているため、上りリンク信号のデコード結果がＭＭＥ１３０に送信される。しかしながら、実施形態は、これに限定されるものではない。アンカー無線基地局３１０ＡがＭＮＢ２１０Ａ又はＨＮＢ２１０Ｂであるケースでは、上りリンク信号のデコード結果は、ＲＮＣ２２０Ａに送信される。
【０１０１】
（作用及び効果）
第１実施形態では、非アンカー無線基地局３１０Ｂは、アンカー無線基地局３１０Ａから通知されるビット精度に応じて、アンカー無線基地局３１０Ａに対して、デコード前の上りリンク信号を送信する。言い換えると、デコード前の上りリンク信号が適切なビット精度で送信される。従って、バックホール・ネットワークの負荷増大が抑制される。
【０１０２】
［変更例１］
以下において、第１実施形態の変更例１について説明する。以下においては、第１実施形態に対する相違点について主として説明する。
【０１０３】
第１実施形態では、アンカー無線基地局３１０Ａ（インタフェース３１５Ａ）は、非アンカー無線基地局３１０Ｂに対して、バックホール・ネットワークを介して送信すべきデコード前の上りリンク信号のビット精度を通知する。非アンカー無線基地局３１０Ｂ（インタフェース３１５Ｂ）は、アンカー無線基地局３１０Ａから通知されるビット精度に応じて、アンカー無線基地局３１０Ａに対して、デコード前の上りリンク信号を送信する。
【０１０４】
これに対して、変更例１では、アンカー無線基地局３１０Ａ（インタフェース３１５Ａ）は、非アンカー無線基地局３１０Ｂが受信する上りリンク信号の受信品質（例えば、ＳＮＲ又はＳＩＮＲ）が所定品質を満たす非アンカー無線基地局に対して、バックホール・ネットワークを介してデコード前の上りリンク信号を送信すべき旨を通知する。非アンカー無線基地局３１０Ｂ（インタフェース３１５Ｂ）は、デコード前の上りリンク信号を送信すべき旨がアンカー無線基地局３１０Ａから通知された場合に、アンカー無線基地局３１０Ａに対して、デコード前の上りリンク信号を送信する。
【０１０５】
言い換えると、変更例１では、非アンカー無線基地局３１０Ｂ（インタフェース３１５Ｂ）は、デコード前の上りリンク信号を送信すべき旨がアンカー無線基地局３１０Ａから通知されなかった場合に、アンカー無線基地局３１０Ａに対して、デコード前の上りリンク信号を送信しない。
【０１０６】
（移動通信システムの動作）
以下において、変更例１に係る移動通信システムの動作について説明する。図１２は、変更例１に係る移動通信システム１００の動作を示すシーケンス図である。
【０１０７】
図１２に示すように、ステップ２０において、ＵＥ１０は、アンカー無線基地局３１０Ａ及び非アンカー無線基地局３１０Ｂに対して、上りリンク信号を送信する。
【０１０８】
ステップ２１において、各非アンカー無線基地局３１０Ｂは、上りリンク信号の受信品質を測定する。
【０１０９】
ステップ２２において、各非アンカー無線基地局３１０Ｂは、アンカー無線基地局３１０Ａに対して、上りリンク信号の受信品質を通知する。
【０１１０】
ステップ２３において、アンカー無線基地局３１０Ａは、バックホール・ネットワークを介してデコード前の上りリンク信号を送信すべき非アンカー無線基地局３１０Ｂを決定する。具体的には、アンカー無線基地局３１０Ａは、デコード前の上りリンク信号を送信すべき非アンカー無線基地局３１０Ｂとして、ステップ２２で通知された受信品質が所定品質を満たす非アンカー無線基地局を決定する。
【０１１１】
ステップ２４において、アンカー無線基地局３１０Ａは、非アンカー無線基地局３１０Ｂが受信する上りリンク信号の受信品質（例えば、ＳＮＲ又はＳＩＮＲ）が所定品質を満たす非アンカー無線基地局３１０Ｂに対して、バックホール・ネットワークを介してデコード前の上りリンク信号を送信すべき旨（送信要求）を通知する。
【０１１２】
ステップ２５において、デコード前の上りリンク信号を送信すべき旨がアンカー無線基地局３１０Ａから通知された非アンカー無線基地局３１０Ｂは、アンカー無線基地局３１０Ａに対して、デコード前の上りリンク信号を送信する。
【０１１３】
ステップ２６において、アンカー無線基地局３１０Ａは、ＵＥ１０から送信されるデコード前の上りリンク信号及び受信品質が所定品質を満たす非アンカー無線基地局３１０Ｂから受信するデコード前の上りリンク信号の選択合成を行う。
【０１１４】
ステップ２７において、アンカー無線基地局３１０Ａは、上りリンク信号のデコード結果をＭＭＥ１３０に送信する。
【０１１５】
ここでは、アンカー無線基地局３１０ＡがＭｅＮＢ１１０Ａ又はＨｅＮＢ１１０Ｂであるケースについて例示しているため、上りリンク信号のデコード結果がＭＭＥ１３０に送信される。しかしながら、実施形態は、これに限定されるものではない。アンカー無線基地局３１０ＡがＭＮＢ２１０Ａ又はＨＮＢ２１０Ｂであるケースでは、上りリンク信号のデコード結果は、ＲＮＣ２２０Ａに送信される。
【０１１６】
（作用及び効果）
変更例１では、アンカー無線基地局３１０Ａは、非アンカー無線基地局３１０Ｂが受信する上りリンク信号の受信品質が所定品質を満たす非アンカー無線基地局３１０Ｂに対して、バックホール・ネットワークを介してデコード前の上りリンク信号を送信すべき旨を通知する。従って、非アンカー無線基地局３１０Ｂからアンカー無線基地局３１０Ａに対する不要なデコード前の上りリンク信号の送信が抑制され、バックホール・ネットワークの負荷増大が抑制される。
【０１１７】
［変更例２］
以下において、第１実施形態の変更例２について説明する。以下においては、第１実施形態に対する相違点について主として説明する。
【０１１８】
第１実施形態では、アンカー無線基地局３１０Ａ（インタフェース３１５Ａ）は、非アンカー無線基地局３１０Ｂに対して、バックホール・ネットワークを介して送信すべきデコード前の上りリンク信号のビット精度を通知する。非アンカー無線基地局３１０Ｂ（インタフェース３１５Ｂ）は、アンカー無線基地局３１０Ａから通知されるビット精度に応じて、アンカー無線基地局３１０Ａに対して、デコード前の上りリンク信号を送信する。
【０１１９】
これに対して、変更例２では、非アンカー無線基地局３１０Ｂ（インタフェース３１５Ｂ）は、非アンカー無線基地局３１０Ｂが受信する上りリンク信号の受信品質が所定品質を満たす場合に、アンカー無線基地局３１０Ａに対して、バックホール・ネットワークを介してデコード前の上りリンク信号を送信する。
【０１２０】
言い換えると、変更例２では、非アンカー無線基地局３１０Ｂ（インタフェース３１５Ｂ）は、非アンカー無線基地局３１０Ｂが受信する上りリンク信号の受信品質が所定品質を満たしていない場合に、アンカー無線基地局３１０Ａに対して、デコード前の上りリンク信号を送信しない。
【０１２１】
ここで、所定品質は、アンカー無線基地局３１０Ａ（インタフェース３１５Ａ）から非アンカー無線基地局３１０Ｂに対して、ＵＥ１０から上りリンク信号を受信する前に通知されてもよい。或いは、所定品質は、予め定められていてもよい。
【０１２２】
（移動通信システムの動作）
以下において、変更例２に係る移動通信システムの動作について説明する。図１３は、変更例２に係る移動通信システム１００の動作を示すシーケンス図である。
【０１２３】
図１３に示すように、ステップ３０において、ＵＥ１０は、アンカー無線基地局３１０Ａ及び非アンカー無線基地局３１０Ｂに対して、上りリンク信号を送信する。
【０１２４】
ステップ３１において、各非アンカー無線基地局３１０Ｂ（例えば、制御部３１６Ｂ）は、上りリンク信号の受信品質を測定する。
【０１２５】
ステップ３２において、非アンカー無線基地局３１０Ｂが受信する上りリンク信号の受信品質（例えば、ＳＮＲ又はＳＩＮＲ）が所定品質を満たす非アンカー無線基地局３１０Ｂは、アンカー無線基地局３１０Ａに対して、バックホール・ネットワークを介してデコード前の上りリンク信号を送信する。
【０１２６】
ステップ３３において、アンカー無線基地局３１０Ａは、ＵＥ１０から送信されるデコード前の上りリンク信号及び受信品質が所定品質を満たす非アンカー無線基地局３１０Ｂから受信するデコード前の上りリンク信号の選択合成を行う。
【０１２７】
ステップ３４において、アンカー無線基地局３１０Ａは、上りリンク信号のデコード結果をＭＭＥ１３０に送信する。
【０１２８】
ここでは、アンカー無線基地局３１０ＡがＭｅＮＢ１１０Ａ又はＨｅＮＢ１１０Ｂであるケースについて例示しているため、上りリンク信号のデコード結果がＭＭＥ１３０に送信される。しかしながら、実施形態は、これに限定されるものではない。アンカー無線基地局３１０ＡがＭＮＢ２１０Ａ又はＨＮＢ２１０Ｂであるケースでは、上りリンク信号のデコード結果は、ＲＮＣ２２０Ａに送信される。
【０１２９】
（作用及び効果）
変更例２では、非アンカー無線基地局３１０Ｂは、非アンカー無線基地局３１０Ｂが受信する上りリンク信号の受信品質が所定品質を満たす場合に、アンカー無線基地局３１０Ａに対して、バックホール・ネットワークを介してデコード前の上りリンク信号を送信する。従って、非アンカー無線基地局３１０Ｂからアンカー無線基地局３１０Ａに対する不要なデコード前の上りリンク信号の送信が抑制され、バックホール・ネットワークの負荷増大が抑制される。
【０１３０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３１】
実施形態では特に触れていないが、非アンカー無線基地局３１０Ｂからアンカー無線基地局３１０Ａに対して送信されるデコード前の上りリンク信号は、非アンカー無線基地局３１０Ｂが受信する上りリンク信号を構成するＩ／Ｑ成分をサンプリングした結果（ビット列）を含むことに留意すべきである。
【０１３２】
デコード前の上りリンク信号は、非アンカー無線基地局３１０Ｂからアンカー無線基地局３１０Ａに対してサブフレーム毎に送信されることが好ましい。デコード前の上りリンク信号は、Ｉ／Ｑ成分をサンプリングした結果（ビット列）に加えて、サブフレーム番号、ＵＥ１０を識別する識別子を含むことが好ましい。或いは、デコード前の上りリンク信号は、これらの情報に加えて、ＵＥ１０が上りリンク信号を送信するスキーム（例えば、レガシースキーム、キャリアアグリゲーションスキーム）の種別を含むことが好ましい。
【０１３３】
なお、米国仮出願第６１／６１２５８５号（２０１２年３月１９日出願）の全内容が、参照により、本願明細書に組み込まれている。
【産業上の利用可能性】
【０１３４】
以上のように、本発明に係る移動通信システム及び移動通信方法によれば、非アンカー無線基地局からアンカー無線基地局に対する不要なデコード前の上りリンク信号の送信が抑制され、バックホール・ネットワークの負荷増大が抑制されるため、移動通信分野において有用である。
【図１】
2013141146.tif 000003
【図２】
2013141146.tif 000004
【図３】
2013141146.tif 000005
【図４】
2013141146.tif 000006
【図５】
2013141146.tif 000007
【図６】
2013141146.tif 000008
【図７】
2013141146.tif 000009
【図８】
2013141146.tif 000010
【図９】
2013141146.tif 000011
【図１０】
2013141146.tif 000012
【図１１】
2013141146.tif 000013
【図１２】
2013141146.tif 000014
【図１３】
2013141146.tif 000015
【国際調査報告】
2013141146.tif 000016
2013141146.tif 000017
2013141146.tif 000018
2013141146.tif 000019
2013141146.tif 000020
2013141146.tif 000021
2013141146.tif 000022